(57)【要約】【課題】本発明は、無線電力送信装置及び受信装置、モバイル端末、アプリケーションサーバー、それを用いる位置情報サービスシステム及びアプリケーションに関する。【解決手段】本発明の一実施例による無線電力送信装置は、無線電力受信装置に無線で電力を提供する電力送信部と、無線電力送信装置に割り当てられた第１の識別情報を他の機器に提供する識別情報管理部と、を含むことができる。【選択図】図１
2018117520.tif 000002
【特許請求の範囲】
【請求項１】
無線電力受信装置に無線で電力を提供する電力送信部と、
無線電力送信装置に割り当てられた第１の識別情報を他の機器に提供する識別情報管理部と、
を含む、無線電力送信装置。
【請求項２】
前記第１の識別情報は、前記無線電力送信装置の位置する地域の地域情報に関連する、請求項１に記載の無線電力送信装置。
【請求項３】
前記無線電力送信装置は、前記無線電力受信装置の無線充電に対する権限を認証する充電制御部を含む、請求項１または２に記載の無線電力送信装置。
【請求項４】
前記識別情報管理部は、前記無線電力受信装置の無線充電に対する権限が認証されていることに応じて、前記第１の識別情報を前記無線電力受信装置に提供する、請求項３に記載の無線電力送信装置。
【請求項５】
前記充電制御部は、前記無線電力受信装置と連結されたモバイル端末の通信サービスプロバイダ情報、端末情報、ユーザー情報及び残りの電力情報の何れか１つ又は何れかの組み合わせを用いて認証を行う、請求項３または４に記載の無線電力送信装置。
【請求項６】
前記充電制御部は、前記第１の識別情報の提供を受けたアプリケーションサーバーから提供された認証情報を用いて前記電力受信装置に対する無線充電の権限又は提供時間を決定する、請求項３から５のいずれか１項に記載の無線電力送信装置。
【請求項７】
前記無線電力送信装置は、
アプリケーションサーバーと連結可能な通信部と、
前記アプリケーションサーバーから前記無線電力送信装置の位置する地域に関連する位置サービスデータを受信するサービスデータ管理部と、
をさらに含む、請求項１から６のいずれか１項に記載の無線電力送信装置。
【請求項８】
前記無線電力送信装置は、前記無線電力受信装置が装着されるか、前記無線電力受信装置に接続可能なモバイル端末と無線で連結可能な近距離無線通信部をさらに含み、
前記識別情報管理部は、前記近距離無線通信部を用いて前記モバイル端末に割り当てられた第２の識別情報を獲得し、前記第２の識別情報及び前記第１の識別情報をアプリケーションサーバーに提供する、請求項１から７のいずれか１項に記載の無線電力送信装置。
【請求項９】
モバイル端末と連結可能な無線電力受信装置であって、
無線電力送信装置から提供される電力を無線で受信する電力受信部と、
前記無線電力送信装置から当該無線電力送信装置に割り当てられた第１の識別情報の提供を受け、前記第１の識別情報を前記モバイル端末に提供する識別情報伝達部と、
を含む、無線電力受信装置。
【請求項１０】
前記識別情報伝達部は、前記無線電力の送受信プロトコルで用いられる前記無線電力送信装置の識別子を前記第１の識別情報として用いる、請求項９に記載の無線電力受信装置。
【請求項１１】
前記無線電力受信装置は近距離無線通信部をさらに含み、
前記識別情報伝達部は前記近距離無線通信部を用いて前記無線電力送信装置から前記第１の識別情報の提供を受ける、請求項９または１０に記載の無線電力受信装置。
【請求項１２】
前記識別情報伝達部は、前記モバイル端末に割り当てられた第２の識別情報を獲得し、前記第２の識別情報を前記無線電力送信装置に提供する、請求項９から１１のいずれか１項に記載の無線電力受信装置。
【請求項１３】
電力の提供を受けるべく無線電力受信装置と連結可能であり、前記無線電力受信装置から無線で電力の提供を受け、受けた電力を用いてモバイル端末の保存部を充電する充電部と、
無線電力送信装置に割り当てられた第１の識別情報を獲得し、モバイル端末に割り当てられた第２の識別情報又は前記第１の識別情報をアプリケーションサーバーに提供する制御部と、
を含む、モバイル端末。
【請求項１４】
前記第１の識別情報は、前記無線電力送信装置の位置する地域の地域情報に関連する、請求項１３に記載のモバイル端末。
【請求項１５】
前記制御部は、前記アプリケーションサーバーから前記モバイル端末の位置する地域に関連する位置サービスデータを受信する、請求項１３または１４に記載のモバイル端末。
【請求項１６】
電力の提供を受けるべく無線電力受信装置と連結可能であり、前記無線電力受信装置から無線で電力の提供を受け、受けた電力を用いてモバイル端末の保存部を充電する充電部と、
モバイル端末に割り当てられた第１の識別情報を無線電力送信装置に提供し、前記無線電力送信装置から前記モバイル端末の位置する地域に関連する位置サービスデータを受信する制御部と、
を含む、モバイル端末。
【請求項１７】
無線電力送信装置に割り当てられた第１の識別情報と前記無線電力送信装置の位置する地域の地域情報を関連付ける位置データを保存する保存部と、
前記位置データを用いて前記無線電力送信装置から電力の提供を受けるモバイル端末の位置を判断する位置サービス提供部と、
を含む、アプリケーションサーバー。
【請求項１８】
前記位置サービス提供部は、前記第１の識別情報と前記モバイル端末に割り当てられた第２の識別情報を用い、前記無線電力送信装置の位置する地域を前記モバイル端末の位置と判断する、請求項１７に記載のアプリケーションサーバー。
【請求項１９】
前記位置サービス提供部は、判断された前記モバイル端末の位置に関連する位置サービスデータを前記モバイル端末及び前記無線電力送信装置の一方又は両方に提供する、請求項１７または１８に記載のアプリケーションサーバー。
【請求項２０】
モバイル端末で実行可能なアプリケーションであって、
無線で電力を提供する無線電力送信装置に割り当てられた第１の識別情報を獲得する機能、前記モバイル端末に割り当てられた第２の識別情報を管理する機能、及び前記第１の識別情報及び前記第２の識別情報の一方又は両方を他の機器に提供する機能を実行させる、アプリケーション。
【請求項２１】
前記アプリケーションは、前記モバイル端末の位置に関連する位置サービスデータを受信して表示する機能をさらに実行させる、請求項２０に記載のアプリケーション。
【請求項２２】
無線電力受信装置に無線で電力を提供する無線電力送信装置と、
前記無線電力受信装置が受けた電力の提供を受けるモバイル端末と、
前記無線電力送信装置の位置を識別し、前記無線電力送信装置の識別された位置を前記モバイル端末の位置と判断して位置情報サービスデータを提供するアプリケーションサーバーと、
を含む、位置情報サービスシステム。
【発明の詳細な説明】
【技術分野】
【０００１】
本発明は、無線電力送信装置及び受信装置、モバイル端末、アプリケーションサーバー、それを用いる位置情報サービスシステム及びアプリケーションに関する。
【背景技術】
【０００２】
無線技術は、データ伝送から電力伝送へと多様な機能を提供できるように発展している。最近では、非接触でも電子機器の充電が可能な無線電力伝送技術が主なテーマとなっている。
【０００３】
無線電力伝送技術は、モバイル端末と充電機器との物理的な連結がなくても自由な充電を可能にすることができる。したがって、充電における利便性及び自由度が高いため、無線電力伝送技術の多様な適用及び応用がなされている。
【０００４】
しかしながら、一般の無線充電技術は、ただ無線電力送信装置と無線電力受信装置との間での充電を可能にしているだけで、一般の無線充電技術によって別のユーザー向けのカスタマイズサービス又は他の専門的なサービスを提供することはできない点で限界がある。
【０００５】
これに関する従来技術としては、特許文献１〜４がある。
【先行技術文献】
【特許文献】
【０００６】
【特許文献１】韓国公開特許第２０１３−００８２９５２号公報
【特許文献２】韓国登録特許第１０−１２６２６４１号公報
【特許文献３】米国特許出願公開第２０１１／０１９５７２２号明細書
【特許文献４】特開２０１０−０３３４７９号公報
【発明の概要】
【発明が解決しようとする課題】
【０００７】
本発明は、上述した従来技術の問題を解決するためのもので、無線電力充電が行われる位置に関する情報を用いてユーザーの位置情報サービスを提供することができる無線電力送信装置及び受信装置、モバイル端末、アプリケーションサーバー、それを用いる位置情報サービスシステム及びアプリケーションを提供することを目的とする。
【課題を解決するための手段】
【０００８】
本発明の一実施形態によれば、無線電力伝送装置の一実施例が提供される。上記無線電力送信装置は、無線電力受信装置に電力を無線で提供する電力送信部と、無線電力送信装置に割り当てられた第１の識別情報を他の機器に提供する識別情報管理部と、を含むことができる。
【０００９】
第１の識別情報は、無線電力送信装置の位置する地域の地域情報に関連しても良い。
【００１０】
無線電力送信装置は、無線電力受信装置の無線充電に対する権限を認証する充電制御部を含んでも良い。
【００１１】
識別情報管理部は、無線電力受信装置の無線充電に対する権限が認証されていることに応じて、第１の識別情報を無線電力受信装置に提供しても良い。
【００１２】
充電制御部は、無線電力受信装置と連結されたモバイル端末の通信サービスプロバイダ情報、端末情報、ユーザー情報及び残りの電力情報の何れか１つ又は何れかの組み合わせを用いて認証を行っても良い。
【００１３】
充電制御部は、第１の識別情報の提供を受けたアプリケーションサーバーから提供された認証情報を用いて電力受信装置に対する無線充電の権限又は提供時間を決定しても良い。
【００１４】
無線電力送信装置は、アプリケーションサーバーと連結可能な通信部と、アプリケーションサーバーから無線電力送信装置の位置する地域に関連する位置サービスデータを受信するサービスデータ管理部と、をさらに含んでも良い。
【００１５】
無線電力送信装置は、無線電力受信装置が装着されるか、無線電力受信装置に接続可能なモバイル端末と無線で連結可能な近距離無線通信部をさらに含み、識別情報管理部は、近距離無線通信部を用いてモバイル端末に割り当てられた第２の識別情報を獲得し、第２の識別情報及び第１の識別情報をアプリケーションサーバーに提供しても良い。
【００１６】
本発明の他の一実施形態によれば、無線電力伝送装置の一実施例が提供される。上記無線電力受信装置は、モバイル端末と連結可能な無線電力受信装置であって、無線電力送信装置から提供される電力を無線で受信する電力受信部と、無線電力送信装置から当該無線電力送信装置に割り当てられた第１の識別情報の提供を受け、第１の識別情報をモバイル端末に提供する識別情報伝達部と、含む。
【００１７】
識別情報伝達部は、無線電力の送受信プロトコルで用いられる無線電力送信装置の識別子を第１の識別情報として用いても良い。
【００１８】
無線電力受信装置は近距離無線通信部をさらに含み、識別情報伝達部は近距離無線通信部を用いて無線電力送信装置から第１の識別情報の提供を受けても良い。
【００１９】
識別情報伝達部は、モバイル端末に割り当てられた第２の識別情報を獲得し、第２の識別情報を無線電力送信装置に提供しても良い。
【００２０】
本発明の他の一実施形態によれば、モバイル端末の一実施例が提供される。上記モバイル端末は、電力の提供を受けるべく無線電力受信装置と連結可能であり、無線電力受信装置から無線で電力の提供を受け、受けた電力を用いてモバイル端末の保存部を充電する充電部と、無線電力送信装置に割り当てられた第１の識別情報を獲得し、モバイル端末に割り当てられた第２の識別情報又は第１の識別情報をアプリケーションサーバーに提供する制御部と、を含む。
【００２１】
第１の識別情報は、無線電力送信装置の位置する地域の地域情報に関連しても良い。
【００２２】
制御部は、アプリケーションサーバーからモバイル端末の位置する地域に関連する位置サービスデータを受信しても良い。
【００２３】
本発明の他の一実施形態によれば、モバイル端末の一実施例が提供される。上記モバイル端末は、電力の提供を受けるべく無線電力受信装置と連結可能であり、無線電力受信装置から無線で電力の提供を受け、受けた電力を用いてモバイル端末の保存部を充電する充電部と、モバイル端末に割り当てられた第１の識別情報を無線電力送信装置に提供し、無線電力送信装置からモバイル端末の位置する地域に関連する位置サービスデータを受信する制御部と、を含む。
【００２４】
本発明の他の一実施形態によれば、アプリケーションサーバーの一実施例が提供される。上記アプリケーションサーバーは、無線電力送信装置に割り当てられた第１の識別情報と無線電力送信装置の位置する地域の地域情報を関連付ける位置データを保存する保存部と、位置データを用いて無線電力送信装置から電力の提供を受けるモバイル端末の位置を判断する位置サービス提供部と、を含む。
【００２５】
位置サービス提供部は、第１の識別情報とモバイル端末に割り当てられた第２の識別情報を用い、無線電力送信装置の位置する地域をモバイル端末の位置と判断しても良い。
【００２６】
位置サービス提供部は、判断されたモバイル端末の位置に関連する位置サービスデータをモバイル端末及び無線電力送信装置の一方又は両方に提供しても良い。
【００２７】
本発明の一実施形態によれば、アプリケーションの一実施例が提供される。上記アプリケーションは、モバイル端末で実行可能なアプリケーションであって、無線で電力を提供する無線電力送信装置に割り当てられた第１の識別情報を獲得する機能、モバイル端末に割り当てられた第２の識別情報を管理する機能、及び第１の識別情報及び第２の識別情報の一方又は両方を他の機器に提供する機能を実行させる。
【００２８】
アプリケーションは、モバイル端末の位置に関連する位置サービスデータを受信して表示する機能をさらに実行させても良い。
【００２９】
本発明の一実施形態によれば、位置情報サービスシステムの一実施例が提供される。上記位置情報サービスシステムは、無線電力受信装置に無線で電力を提供する無線電力送信装置と、無線電力受信装置が受けた電力の提供を受けるモバイル端末と、無線電力送信装置の位置を識別し、無線電力送信装置の識別された位置をモバイル端末の位置と判断して位置情報サービスデータを提供するアプリケーションサーバーと、を含む。
【発明の効果】
【００３０】
本発明の一実施形態によれば、無線電力充電が行われる位置に関する情報を用いてユーザーの位置情報サービスを提供することができるという効果がある。
【００３１】
また、本発明の一実施形態によれば、無線電力充電装置の位置に基づきユーザーに位置情報サービスを提供することにより、ユーザーの周辺環境の影響に関係なく位置を正確に確認することができるという効果がある。
【００３２】
また、本発明の一実施形態によれば、無線電力充電を提供すると共に位置情報サービスを提供することができるため、ユーザーのサービス接近性を高めることができるという効果がある。
【図面の簡単な説明】
【００３３】
【図１】本発明の一実施例による位置情報サービスシステムを説明する構成図である。
【図２】位置情報サービスシステムの多様な実施例を説明するブロック図である。
【図３】位置情報サービスシステムの多様な実施例を説明するブロック図である。
【図４】位置情報サービスシステムの多様な実施例を説明するブロック図である。
【図５】位置情報サービスシステムの多様な実施例を説明するブロック図である。
【図６】位置情報サービスシステムの多様な実施例を説明するブロック図である。
【図７】無線電力送信装置の多様な実施例を示す構成図である。
【図８】無線電力送信装置の多様な実施例を示す構成図である。
【図９】無線電力送信装置の多様な実施例を示す構成図である。
【図１０】無線電力送信装置の多様な実施例を示す構成図である。
【図１１】無線電力送信装置の多様な実施例を示す構成図である。
【図１２】無線電力送信装置の多様な実施例を示す構成図である。
【図１３】無線電力受信装置の多様な実施例を示す構成図である。
【図１４】無線電力受信装置の多様な実施例を示す構成図である。
【図１５】無線電力受信装置の多様な実施例を示す構成図である。
【図１６】無線電力送信装置及び受信装置に適用可能な回路の一実施例を示す構成図である。
【図１７】モバイル端末の多様な実施例を示す構成図である。
【図１８】モバイル端末の多様な実施例を示す構成図である。
【図１９】アプリケーションサーバーの一実施例を示す構成図である。
【図２０】無線電力提供のために行われる認証方法に関する多様な実施例を示すフローチャートである。
【図２１】無線電力提供のために行われる認証方法に関する多様な実施例を示すフローチャートである。
【図２２】無線電力提供のために行われる認証方法に関する多様な実施例を示すフローチャートである。
【図２３】無線電力提供のために行われる認証方法に関する多様な実施例を示すフローチャートである。
【図２４】位置データ選択のための識別情報を提供する方法に関する多様な実施例を説明するフローチャートである。
【図２５】位置データ選択のための識別情報を提供する方法に関する多様な実施例を説明するフローチャートである。
【図２６】位置データ選択のための識別情報を提供する方法に関する多様な実施例を説明するフローチャートである。
【図２７】アプリケーションサーバーで実行可能な位置サービス提供方法の一実施例を示すフローチャートである。
【発明を実施するための形態】
【００３４】
以下の記載は、ここで説明される方法、装置及び／またはシステムの包括的な理解を読者が得ることを助けるために提供される。但し、ここで説明される方法、装置及び／またはシステムの多様な変更、修正及び等価物は当業者にとって容易であろう。ここで説明される動作の手順は一例にすぎず、そのような記載には制限されず、特定の順序で出現することが必須の動作を除き、当業者にとって容易であるように変更されても良い。また、当業者にとって周知の機能及び構造の記載は明瞭性及び簡潔性を高めるべく省略されても良い。
【００３５】
複数の図面及び詳細な説明において、同じ参照番号は同じ要素を指す。図面において、相対サイズ、比率、及び、図中の要素の描写は明瞭性、説明及び利便性のために誇張されるかも知れない。
【００３６】
図１は、本発明の一実施例による位置情報サービスシステムを説明する構成図である。
【００３７】
図１に示されているように、位置情報サービスシステムは、無線電力送信装置１００、無線電力受信装置２００、モバイル端末３００及びアプリケーションサーバー４００を含むことができる。
【００３８】
無線電力送信装置１００は、無線電力受信装置２００に無線で電力を送信することができる。
【００３９】
無線電力送信装置１００の位置は固定されることができる。即ち、無線電力受信装置２００及びモバイル端末３００は移動可能であるため、その位置を特定することができないが、無線電力送信装置１００の位置は特定されることができる。
【００４０】
無線電力送信装置１００の位置に関する情報は、アプリケーションサーバー４００、モバイル端末３００又は無線電力送信装置１００の位置を管理する機能を有する他の任意のデバイスで管理されることができる。以下では、アプリケーションサーバー４００で無線電力送信装置１００の位置に関する情報を管理する例に基づいて説明するが、これが一例に過ぎず、他の複数のデバイスが無線電力送信装置１００の位置を管理し得ることが理解されるべきである。
【００４１】
無線電力受信装置２００は、無線電力送信装置１００から無線で提供された電力を用いてモバイル端末３００を充電することができる。
【００４２】
本発明において、無線電力送信装置１００と無線電力受信装置２００は、特定の規格に限定されない。例えば、無線電力送信装置１００と無線電力受信装置２００は、無線充電時、近距離通信方式が設定された規格（例えば、Ａ４ＷＰ（ｔｈｅ  Ａｌｌｉａｎｃｅ  ｆｏｒ  Ｗｉｒｅｌｅｓｓ  Ｐｏｗｅｒ）規格）に従って動作することもできる。他の例として、無線電力送信装置１００と無線電力受信装置２００は、無線充電時、近距離通信方式が設定されていない規格（例えば、ＷＰＣ（ｔｈｅ Ｗｉｒｅｌｅｓｓ Ｐｏｗｅｒ Ｃｏｎｓｏｒｔｉｕｍ）規格、ＰＭＡ（ｔｈｅ Ｐｏｗｅｒ Ｍａｔｔｅｒｓ Ａｌｌｉａｎｃｅ）規格）に従って動作することもできる。
【００４３】
モバイル端末３００は、無線電力受信装置２００が受信した電力の提供を受けることができる。
【００４４】
モバイル端末３００は、アプリケーションサーバー４００から位置情報サービスの提供を受けることができる。
【００４５】
アプリケーションサーバー４００は、無線電力送信装置１００を識別してモバイル端末３００の位置を判断することができる。即ち、無線電力送信装置１００の位置は特定されることができるため、アプリケーションサーバー４００は、モバイル端末３００が十分に近接してモバイル端末３００にアクセスされる無線電力送信装置１００を識別し、当該無線電力送信装置１００の特定された位置をモバイル端末３００の位置と判断することができる。
【００４６】
アプリケーションサーバー４００は、判断されたモバイル端末３００の位置に関連する位置サービスをモバイル端末３００又は無線電力送信装置１００に提供するか、又はモバイル端末３００のユーザーを識別してユーザー向けのカスタマイズサービスをモバイル端末３００又は無線電力送信装置１００に提供することができる。
【００４７】
以下では、多様な図面を参照して位置情報サービスシステムの多様な実施例について説明する。但し、以下で説明する多様な例において重複又は相応する内容はその説明を省略する。
【００４８】
図２は、位置情報サービスシステムの一実施例を説明するブロック図である。
【００４９】
無線電力送信装置１００は、無線電力受信装置２００に無線で電力を送信することができる。一例において、無線電力送信装置１００は、無線電力受信装置２００又はモバイル端末３００を認証した後、電力を無線で送信することができる。
【００５０】
無線電力受信装置２００は、無線電力送信装置１００から提供される電力を無線で受信し、受信した電力を用いてモバイル端末３００を無線で充電することができる。例えば、無線電力受信装置２００は、モバイル端末３００の一つの部品であってもよく、モバイル端末３００と結合可能な別の装置であってもよい。
【００５１】
モバイル端末３００は、無線電力受信装置２００が受信した電力の提供を受けることができる。
【００５２】
アプリケーションサーバー４００は、無線電力送信装置１００の位置を識別してモバイル端末３００の位置を識別し、識別された位置を用いて位置情報サービスを提供することができる。アプリケーションサーバー４００は、一例において、モバイル端末３００又は無線電力送信装置１００に位置サービスデータを提供することができる。
【００５３】
一例において、アプリケーションサーバー４００は、モバイル端末３００のユーザー情報を用いてユーザー向けのカスタマイズサービスデータを提供することができる。アプリケーションサーバー４００は、モバイル端末３００又は無線電力送信装置１００にユーザー向けのカスタマイズサービスデータを提供することができる。
【００５４】
なお、アプリケーションサーバー４００から提供される位置情報サービスはいかなる特別なタイプのサービスにも限定されない。例えば、アプリケーションサーバー４００は、モバイル端末３００の位置に関連する広告、クーポン又は他のオファーを位置情報サービスとして提供することができる。他の例として、アプリケーションサーバー４００は、該当位置に関連する無線電力送信装置１００の使用を割引又は無償で提供することを位置情報サービスとして提供することができる。
【００５５】
また、位置情報サービスは、位置と関係ないサービスデータを含むことができる。即ち、ユーザー向けのカスタマイズサービスデータはユーザーの位置と関連性がなくてもよいが、このようなユーザー向けのカスタマイズサービスデータは位置サービスデータに含まれることができる。したがって、本発明において、位置サービスデータは、位置情報サービスデータのみならず、ユーザー向けのカスタマイズサービスデータも含むことができる。
【００５６】
以下では、図３〜図６を参照して本発明の一実施例による位置情報サービスシステムの多様な応用実施例について説明する。
【００５７】
図３は、位置情報サービスシステムの他の実施例を示すブロック図である。
【００５８】
図３に示されている実施例は、無線電力送信装置１００が外部のインターネットと連結可能な別の通信網を備えず且つモバイル端末３００と通信可能な近距離通信手段を有さない実施例である。
【００５９】
一例において、無線電力送信装置１００は、無線電力充電のための認証を行うことができる。例えば、無線電力受信装置２００が無線電力送信装置１００に対して充電可能な状態、例えば、無線電力送信装置１００によって充電可能な距離に位置する場合、無線電力送信装置１００は、無線電力受信装置２００又はモバイル端末３００に対する無線電力充電のための認証を行うことができる。
【００６０】
一例において、認証のために、モバイル端末３００は、無線電力受信装置２００にモバイル端末３００の認証情報を提供することができる。例えば、モバイル端末３００に無線充電のためのアプリケーションが設置されている場合、アプリケーションは、モバイル端末３００の認証情報を無線電力受信装置２００のメモリーに保存させることができる。無線電力受信装置２００は、保存されたモバイル端末３００の認証情報を無線電力送信装置１００に提供することができる。無線電力送信装置１００は、モバイル端末３００の認証情報を用いてモバイル端末３００を認証し、うまく認証される場合は無線電力受信装置２００に電力を無線で送信することができる。
【００６１】
一例において、モバイル端末３００の認証情報は該当モバイル端末３００に無線通信サービスを提供する無線通信サービスプロバイダの識別情報を含み、無線電力送信装置１００は無線通信サービスプロバイダの識別情報を用いてモバイル端末３００に対する無線充電の権限を認証することができる。
【００６２】
他の例において、無線電力受信装置２００は無線電力受信装置２００に関する認証情報を保存し、無線電力送信装置１００は無線電力受信装置２００の認証情報を用いてモバイル端末３００に対する無線充電の権限を認証することができる。例えば、無線電力受信装置２００の認証情報はモバイル端末３００に無線通信サービスを提供する無線通信サービスプロバイダの識別情報を含み、無線電力送信装置１００は無線電力受信装置２００の認証情報に含まれた無線通信サービスプロバイダの識別情報を用いて無線電力提供の有無を判断することができる。
【００６３】
無線電力送信装置１００は、無線電力受信装置２００に電力を無線で送信し、無線電力送信装置１００に割り当てられた第１の識別情報を無線電力受信装置２００に提供することができる。
【００６４】
無線電力送信装置１００に割り当てられた第１の識別情報は、上述したように、無線電力送信装置１００の位置を識別するのに用いられることができる。また、このように識別された無線電力送信装置１００の位置は、モバイル端末３００の位置として用いられることができる。
【００６５】
無線電力受信装置２００は無線電力送信装置１００に割り当てられた第１の識別情報をモバイル端末３００に提供し、モバイル端末３００は無線電力送信装置１００に割り当てられた第１の識別情報をアプリケーションサーバー４００に提供することができる。
【００６６】
アプリケーションサーバー４００は、無線電力送信装置１００に割り当てられた識別情報を用いて無線電力送信装置１００の位置を識別し、無線電力送信装置１００の位置をモバイル端末３００の位置と判断することができる。アプリケーションサーバー４００は、モバイル端末３００の位置に関連する位置サービスデータをモバイル端末３００に提供することができる。例えば、アプリケーションサーバー４００は、モバイル端末３００の位置に関連するクーポン、非課金認証情報、広告又は他のオファー情報のようなダウンロード可能なコンテンツを提供することができる。
【００６７】
一例において、モバイル端末３００は、モバイル端末３００に割り当てられた第２の識別情報を上記第１の識別情報と共にアプリケーションサーバー４００に提供することができる。例えば、モバイル端末３００に割り当てられた第２の識別情報は、ＩＭＥＩ、ＳＩＭ  ｃｏｄｅ、電話番号又はモバイル端末３００に割り当てられた他の情報を含むことができる。
【００６８】
モバイル端末３００に割り当てられた第２の識別情報は、ユーザー向けのカスタマイズサービスを決定するのに用いられることができる。即ち、アプリケーションサーバー４００は、第１の識別情報を用いてモバイル端末３００の位置を判断し、第２の識別情報を用いてモバイル端末３００に対する位置サービス送信の有無、サービスの等級、種類及び他のサービス特性を決定することができる。
【００６９】
一例において、モバイル端末３００は、無線電力充電が完了すると、充電が完了したことをアプリケーションサーバー４００に知らせることができる。アプリケーションサーバー４００は、無線電力充電が完了したか否かによってサービスデータの提供を変更又は終了することができる。
【００７０】
図４は、位置情報サービスシステムのさらに他の実施例を示す参考図である。
【００７１】
図４に示されている実施例は、無線電力送信装置１００が近距離無線通信手段を備え、モバイル端末３００と直接近距離通信が可能な実施例である。
【００７２】
図４を参照すると、無線電力送信装置１００とモバイル端末３００は、近距離無線通信モジュール（例えば、ブルートゥーストランシーバ又は当業者に周知の任意の近距離無線通信トランシーバ）を用いて互いに通信することができる。無線電力送信装置１００は、近距離無線通信を用いて無線電力送信装置１００に割り当てられた第１の識別情報をモバイル端末３００に提供することができる。
【００７３】
モバイル端末３００は、第１の識別情報をアプリケーションサーバー４００に提供することができる。
【００７４】
無線電力送信装置１００に割り当てられた第１の識別情報がモバイル端末３００の位置を決定するのに用いられることは上述した通りである。即ち、アプリケーションサーバー４００は、第１の識別情報を用いて無線電力送信装置１００の位置を識別し、識別された位置をモバイル端末３００の位置と決定し、識別された位置に関連する位置サービスデータをモバイル端末３００又は無線電力送信装置１００に提供することができる。
【００７５】
一例において、無線電力送信装置１００は、無線電力受信装置２００又はモバイル端末３００を用いて無線電力充電のための認証を行い、認証がうまく行われる場合は無線電力受信装置２００に電力を無線で送信することができる。このような認証は図３を参照して説明した通りであるため、重複して説明しない。
【００７６】
図５は、位置情報サービスシステムのさらに他の実施例を示す参考図である。
【００７７】
図５に示されているさらに他の実施例は、無線電力送信装置１００が外部のインターネットと連結可能な無線通信手段を備え、アプリケーションサーバー４００と直接通信が可能な実施例である。
【００７８】
図５を参照すると、無線電力送信装置１００は、無線電力受信装置２００に無線で電力を送信することができる。一例において、無線電力送信装置１００は、無線電力充電のための認証を行うことができる。
【００７９】
無線電力送信装置１００は、無線通信網を用いて無線電力送信装置１００に割り当てられた第１の識別情報をアプリケーションサーバー４００に提供することができる。
【００８０】
一例において、無線電力送信装置１００は、モバイル端末３００に割り当てられた第２の識別情報を無線電力送信装置１００に割り当てられた第１の識別情報と共にアプリケーションサーバー４００に提供することができる。
【００８１】
アプリケーションサーバー４００は、無線電力送信装置１００に割り当てられた第１の識別情報を用いてモバイル端末３００の位置を識別し、識別された位置を用いる位置情報サービスをモバイル端末３００又は無線電力送信装置１００に提供することができる。
【００８２】
一例において、アプリケーションサーバー４００は、位置サービスデータを無線電力送信装置１００又はモバイル端末３００に提供することができる。
【００８３】
一例において、アプリケーションサーバー４００は、無線電力送信装置１００から当該無線電力送信装置１００に割り当てられた第１の識別情報を受信し、第１の識別情報を用いて位置サービスデータを決定することができる。アプリケーションサーバー４００は、決定された位置サービスデータを無線電力送信装置１００に提供することができる。このような例の場合、モバイル端末３００に割り当てられた第２の識別情報がなくても位置サービスデータが決定されることができる。
【００８４】
他の例において、アプリケーションサーバー４００は、無線電力送信装置１００から、当該無線電力送信装置１００に割り当てられた第１の識別情報と、モバイル端末３００に割り当てられた第２の識別情報を受信することができる。アプリケーションサーバー４００は、第１の識別情報を用いてモバイル端末３００の位置を識別し、さらに第２の識別情報を用いて位置サービスデータを決定することができる。アプリケーションサーバー４００は、決定された位置サービスデータをモバイル端末３００又は無線電力送信装置１００に提供することができる。
【００８５】
図６は、位置情報サービスシステムのさらに他の実施例を示す参考図である。
【００８６】
図６に示されているさらに他の実施例は、無線電力送信装置１００が外部のインターネットと連結可能な無線通信手段及び近距離通信手段を全て備え、無線電力送信装置１００がアプリケーションサーバー４００及びモバイル端末３００と直接通信が可能な実施例である。
【００８７】
図６を参照すると、無線電力送信装置１００は、無線電力受信装置２００に電力を無線で送信することができる。一例において、無線電力送信装置１００は、無線電力充電のための認証を行うことができる。
【００８８】
無線電力送信装置１００は、近距離無線通信を用いてモバイル端末３００から当該モバイル端末３００に割り当てられた第２の識別情報を直接獲得することができる。
【００８９】
無線電力送信装置１００は、無線電力送信装置１００に割り当てられた第１の識別情報と第２の識別情報をアプリケーションサーバー４００に提供することができる。
【００９０】
アプリケーションサーバー４００は、第１の識別情報と第２の識別情報を用いて位置サービスデータを決定し、決定された位置サービスデータを無線電力送信装置１００又はモバイル端末３００に提供することができる。
【００９１】
以上では、図２〜図６を参照して、無線電力送信装置１００に割り当てられた識別情報を用いて位置サービスを提供する位置情報サービスシステムの多様な実施例について説明した。
【００９２】
図２〜図６では、無線電力送信装置１００に割り当てられた第１の識別情報又はモバイル端末３００に割り当てられた第２の識別情報を用いる実施例を説明している。
【００９３】
また、上述した多様な実施例に加えて無線電力受信装置２００に割り当てられた第３の識別情報をさらに用いることもできる。即ち、無線電力受信装置２００に割り当てられた第３の識別情報を用いて認証したり相互認証または他のタイプの認証を行うことができる。
【００９４】
例えば、無線電力送信装置１００は第１の識別情報と第３の識別情報をアプリケーションサーバー４００に提供し、モバイル端末３００は第２の識別情報と第３の識別情報をアプリケーションサーバー４００に提供することができる。アプリケーションサーバー４００は、第３の識別情報を用いてモバイル端末３００に関連する無線電力送信装置１００を確認することができる。また、アプリケーションサーバー４００は、第１の識別情報を用いてモバイル端末３００の位置を決定するか、又は第２の識別情報を用いてモバイル端末３００を認証するか又はモバイル端末３００のユーザー向けのカスタマイズ情報を確認することができる。
【００９５】
以下では、図７〜図１９を参照して装置の多様な実施形態について説明する。
【００９６】
図７〜図１２は、無線電力送信装置の多様な実施例に関する図である。
【００９７】
図７は、無線電力送信装置の一実施例を示す構成図である。
【００９８】
図７を参照すると、無線電力送信装置１００は、電力送信部１１０及び識別情報管理部１２０を含むことができる。
【００９９】
電力送信部１１０は、無線電力受信装置２００に電力を無線で送信することができる。
【０１００】
識別情報管理部１２０は、無線電力送信装置１００に割り当てられた第１の識別情報を他の機器に提供することができる。一例において、識別情報管理部１２０は、無線電力受信装置２００、モバイル端末３００及びアプリケーションサーバー４００のうち１または複数に直接的に又は間接的に第１の識別情報を提供することができる。
【０１０１】
ここで、第１の識別情報は、無線電力送信装置１００の位置する地域の地域情報に関連する。例えば、アプリケーションサーバー４００は、第１の識別情報と、該当無線電力送信装置１００の位置情報を関連付けて保存することができる。これは、無線電力送信装置１００が特定地域に固定されることができることから、モバイル端末３００の位置を識別するべく無線電力送信装置１００の位置情報を用いることを可能にする。
【０１０２】
図８は、無線電力送信装置の他の実施例を示す構成図である。
【０１０３】
図８に示されている実施例は、無線電力通信方式を用いて無線電力送信装置１００に割り当てられた第１の識別情報を他の機器に提供することができる。即ち、識別情報管理部１２０は無線電力送信装置１００に割り当てられた第１の識別情報を電力送信部１１０に提供し、電力送信部１１０は第１の識別情報を他のデバイスに提供すべく、無線電力通信の通信規格に基づいて第１の識別情報を送信することができる。
【０１０４】
例えば、電力送信部１１０は、無線電力通信規格の固有の識別子を第１の識別情報として用いることができる。図９は、電力送信装置において無線電力送信のためのプロトコルを設定するのに用いられるパケットの一つの構成を示す参考図である。以下では、図９をさらに参照して図８の例について説明する。
【０１０５】
図９において、Ｍａｎｕｆａｃｔｕｒｅｒ  Ｃｏｄｅは製造会社コードを意味し、Ｂａｓｉｃ  Ｄｅｖｉｃｅ  Ｉｄｅｎｔｉｆｉｅｒは該当装置の固有の識別子を意味する。即ち、無線電力伝送のためのプロトコルに用いられるパケットには、該当装置、即ち、無線電力送信装置１００の固有の識別子が必要とされるため、このパケットの固有の識別子は無線電力送信装置１００に割り当てられた第１の識別情報として使用されることができ、上記パケットの固有の識別子を用いて第１の識別情報を無線電力受信装置２００に提供することができる。
【０１０６】
図１０は、無線電力送信装置のさらに他の実施例を示す構成図である。
【０１０７】
図１０を参照すると、無線電力送信装置１００は、近距離無線通信部１３０をさらに含むことができる。
【０１０８】
近距離無線通信部１３０は、ＮＦＣ、ブルートゥース、Ｗｉ‐ｆｉ、Ｚｉｇｂｅｅ（登録商標）の通信方式、又は当業者に周知の他の任意の近距離無線通信方式を用いて近距離無線通信を行うことができる。
【０１０９】
近距離無線通信部１３０は、識別情報管理部１２０から提供された無線電力送信装置１００に割り当てられた第１の識別情報を、外部の装置、例えば、無線電力受信装置２００又はモバイル端末３００に提供することができる。
【０１１０】
一例において、近距離無線通信部１３０は、モバイル端末３００に割り当てられた第２の識別情報を受信することができる。即ち、近距離無線通信部１３０は、モバイル端末３００に割り当てられた第２の識別情報をモバイル端末３００又は無線電力受信装置２００から受信し、これを識別情報管理部１２０に提供することができる。
【０１１１】
図１１は、無線電力送信装置のさらに他の実施例を示す構成図である。図１１に示されている実施例は、無線電力提供のための所定の認証を行う実施例である。
【０１１２】
図１１を参照すると、無線電力送信装置１００は、電力送信部１１０、識別情報管理部１２０及び充電制御部１４０を含むことができる。図１１の一例において、無線電力送信装置１００は、近距離無線通信部１３０をさらに含むことができる。
【０１１３】
充電制御部１４０は、無線電力受信装置２００の無線充電に対する権限を認証することができる。
【０１１４】
一例において、充電制御部１４０は、無線電力受信装置２００と連結されたモバイル端末３００の通信サービスプロバイダ情報、モバイル端末３００の端末情報、モバイル端末３００のユーザー情報及びモバイル端末３００の残りの電力情報の何れか１つ又は何れかの組み合わせを用いて認証を行うことができる。
【０１１５】
例えば、充電制御部１４０は、無線充電が可能な通信サービスプロバイダ情報を設定し、モバイル端末３００の通信サービスプロバイダ情報を確認して無線充電の可否を認証することができる。他の例として、充電制御部１４０は、モバイル端末の残りの電力を確認して無線電力提供の有無を判断することができる。
【０１１６】
一例において、識別情報管理部１２０は、無線電力受信装置２００の無線充電に対する権限が認証されると、無線電力送信装置１００に割り当てられた第１の識別情報を無線電力受信装置２００又はモバイル端末３００に提供することができる。即ち、無線電力送信装置１００は、無線充電に対する権限が認められる場合、位置情報サービスを提供するようにすることができる。
【０１１７】
図１２は、無線電力送信装置のさらに他の実施例を示す構成図である。図１２に示されている実施例は、通信部１５０を用いて無線電力送信装置１００がアプリケーションサーバー４００と通信を行う実施例である。
【０１１８】
図１２を参照すると、無線電力送信装置１００は、電力送信部１１０、識別情報管理部１２０、充電制御部１４０、通信部１５０及びサービスデータ管理部１６０を含むことができる。図１２には図示されてはいないが、一例において、無線電力送信装置１００は、近距離無線通信部をさらに含むことができる。
【０１１９】
通信部１５０は、アプリケーションサーバーと連結可能である。通信部１５０は、有線又は無線ネットワークを用いてアプリケーションサーバーに連結されることができる。通信部１５０は、アプリケーションサーバー４００から、モバイル端末３００に対する情報及び位置情報サービスを提供するための位置サービスデータを受信することができる。
【０１２０】
充電制御部１４０は、アプリケーションサーバー４００と協働して認証を行うことができる。例えば、充電制御部１４０は、アプリケーションサーバー４００から提供された認証情報を用いて無線電力受信装置２００に対する無線充電の権限、提供時間又は他の条件を決定することができる。
【０１２１】
サービスデータ管理部１６０は、通信部１５０を介してアプリケーションサーバー４００から無線電力送信装置１００の位置する地域に関連する位置サービスデータを受信することができる。サービスデータ管理部１６０は、受信した位置サービスデータを近距離無線通信モジュールを用いてモバイル端末３００に提供するか、又は所定のディスプレイを用いて表示するようにすることができる。このために、無線電力送信装置１００は、所定のディスプレイを備えることができる。
【０１２２】
識別情報管理部１２０は、モバイル端末３００に割り当てられた第２の識別情報を獲得し、獲得したモバイル端末３００に割り当てられた第２の識別情報を通信部１５０を介してアプリケーションサーバー４００に提供することができる。一例において、識別情報管理部１２０は、無線電力送信装置１００に割り当てられた第１の識別情報と共にモバイル端末３００に割り当てられた第２の識別情報を通信部１５０を介してアプリケーションサーバー４００に提供することができる。
【０１２３】
図１３〜図１５は、無線電力受信装置の多様な実施例に関する図である。
【０１２４】
図１３は、無線電力受信装置の一実施例を示す構成図である。
【０１２５】
無線電力受信装置２００は、電力受信部２１０及び識別情報伝達部２２０を含むことができる。
【０１２６】
電力受信部２１０は、無線電力送信装置１００から無線で提供される電力を受信することができる。電力受信部２１０は、モバイル端末３００と電気的に連結可能であり、受信した電力をモバイル端末３００に提供することができる。
【０１２７】
識別情報伝達部２２０は、無線電力送信装置１００とモバイル端末３００との間で識別情報を伝達することができる。
【０１２８】
一例において、識別情報伝達部２２０は、無線電力送信装置１００に割り当てられた第１の識別情報を無線電力送信装置１００から受け、この第１の識別情報をモバイル端末３００に送信することができる。
【０１２９】
一例において、識別情報伝達部２２０は、モバイル端末３００に割り当てられた第２の識別情報をモバイル端末３００から受け、この第２の識別情報を無線電力送信装置１００に送信することができる。
【０１３０】
図１４は、無線電力受信装置の他の実施例を示す構成図である。図１４の実施例は、無線電力受信方式を用いて無線電力送信装置１００に割り当てられた第１の識別情報を獲得する実施例である。
【０１３１】
図１４を参照すると、無線電力受信装置２００は特定の無線電力提供方式により無線で電力を送信し、このような無線電力提供方式は既定の送受信プロトコルであっても良い。即ち、図８を参照して説明したように、無線電力伝送のための送受信プロトコルには無線電力送信装置１００を識別するための固有の識別子が用いられ、識別情報伝達部２２０はこのような無線電力伝送のための無線電力送信装置１００の固有の識別子を第１の識別情報として提供することができる。
【０１３２】
図１５は、無線電力受信装置のさらに他の実施例を示す構成図である。図１５の実施例において、無線電力受信装置２００は、近距離無線通信部２３０を含むことができる。
【０１３３】
識別情報伝達部２２０は、近距離無線通信部２３０を用いて無線電力送信装置１００から第１の識別情報の提供を受けることができる。識別情報伝達部２２０は、受けた第１の識別情報をモバイル端末３００に提供することができる。
【０１３４】
識別情報伝達部２２０は、近距離無線通信部２３０を介して又は別の通信手段を用いてモバイル端末３００から当該モバイル端末３００に割り当てられた第２の識別情報を獲得することができる。識別情報伝達部２２０は、獲得した第２の識別情報を無線電力送信装置１００に提供することができる。
【０１３５】
図１６は、無線電力送信装置及び受信装置に適用可能な回路の一実施例を示すブロック図である。
【０１３６】
無線電力送信装置１００は、変換器１０１、ドライバー１０２、コイル１０３及びコントローラ１０５を含むことができる。一例において、無線電力送信装置１００は、センサー１０４及び近距離無線通信モジュール１０６の一方又は両方をさらに含むことができる。
【０１３７】
変換器１０１は、外部から入力された電力を変換することができる。変換された電圧は、ドライバー１０２によって増幅され、増幅された電圧はコイル１０３に印加されることができる。無線電力送信装置１００のコイル１０３は、無線電力受信装置２００のコイル２０１と協働して無線で電力を提供することができる。
【０１３８】
センサー１０４は、コイル１０３の状態をセンシングすることができる。コントローラ１０５は、ドライバー１０２を調節して無線電力の送信を調節することができる。
【０１３９】
近距離無線通信モジュール１０６は、無線電力受信装置２００の近距離無線通信モジュール２０５と協働して所定のデータを無線で送受信することができる。コントローラ１０５は近距離通信部を制御して、近距離無線通信モジュール２０５と通信する。
【０１４０】
無線電力受信装置２００は、コイル２０１、整流器２０２、変換器２０３及びコントローラ２０４を含むことができる。一例において、無線電力受信装置２００は、近距離無線通信モジュール２０５をさらに含むことができる。
【０１４１】
コイル２０１は、無線電力送信装置１００のコイル１０３から提供される電力を無線で受信することができる。受信された無線電力は、整流器２０２によって整流され、整流電力は変換器２０３によって変換され、変換された電力はモバイル端末３００に提供されることができる。コントローラ２０４は、整流器２０２を制御して、モバイル端末３００に加えられる電力を制御すると共に、近距離無線通信モジュール２０５を制御して、近距離無線通信モジュール２０５を近距離無線通信モジュール１０６と通信させる。
【０１４２】
図７〜図１５において、上述した構成要素は、組み合わせられるか又は分離されて１又は複数の集積回路に実装されることができる。例えば、図１２における無線電力送信装置１００の識別情報管理部１２０、充電制御部１４０及びサービスデータ管理部１６０は、図１６のコントローラ１０５に該当する一つの集積回路として具現されることができ、それぞれ異なる集積回路として具現されることもできる。また、一部の機能がソフトウェアとして具現されることもできる。
【０１４３】
図１７〜図１８は、モバイル端末の多様な実施例に関する図である。
【０１４４】
図１７は、モバイル端末の一実施例を示す構成図である。
【０１４５】
図１７を参照すると、モバイル端末３００は、充電部３１０、電力保存部３２０及び制御部３３０を含むことができる。
【０１４６】
充電部３１０は、無線電力受信装置２００と連結されて無線電力受信装置２００から電力を受けることができる。充電部３１０は、無線電力受信装置２００から受けた電力を、例えばモバイル端末３００の再充電可能バッテリである電力保存部３２０に保存することができる。
【０１４７】
制御部３３０は、無線電力送信装置１００に割り当てられた第１の識別情報を獲得し、モバイル端末に割り当てられた第２の識別情報又は第１の識別情報をアプリケーションサーバー４００に提供することができる。ここで、第１の識別情報は、上述したように、無線電力送信装置の位置する地域の地域情報に関連する。
【０１４８】
制御部３３０は、アプリケーションサーバー４００からモバイル端末３００の位置する地域に関連する位置サービスデータを受信することができる。
【０１４９】
図１８は、モバイル端末の他の実施例を示す構成図である。
【０１５０】
図１８に示されている実施例では、無線電力送信装置１００からモバイル端末３００が位置サービスデータを受信する。
【０１５１】
具体的には、制御部３３０は、モバイル端末３００に割り当てられた識別情報を無線電力送信装置１００に提供することができる。無線電力送信装置１００は、モバイル端末３００に割り当てられた識別情報をアプリケーションサーバー４００に提供し、モバイル端末の位置する地域に関連する位置サービスデータを受信することができる。制御部３３０は、無線電力送信装置１００から位置サービスデータを受信することができる。
【０１５２】
図１７及び図１８には示されていないが、モバイル端末３００は、近距離無線通信モジュール又は無線通信モジュールを用いて無線電力送信装置１００又はアプリケーションサーバー４００と直間接的に通信することができる。
【０１５３】
上述したモバイル端末に関する構成は、モバイル端末３００で実行可能なアプリケーションとして具現されることもできる。
【０１５４】
一例において、アプリケーションは、モバイル端末３００で実行されることができるアプリケーションであり、無線電力送信装置１００に割り当てられた第１の識別情報を獲得する機能、上記モバイル端末３００に割り当てられた第２の識別情報を管理する機能、及び上記第１の識別情報及び上記第２の識別情報の一方又は両方を他の機器に提供する機能を実行することができる。
【０１５５】
一例において、アプリケーションは、モバイル端末３００の位置に関連する位置サービスデータを受信して表示する機能をさらに実行することができる。
【０１５６】
図１９は、アプリケーションサーバーの実施例を示す構成図である。
【０１５７】
図１９を参照すると、アプリケーションサーバー４００は、保存部４１０と位置サービス提供部４２０を含むことができる。図示されてはいないが、アプリケーションサーバー４００は、モバイル端末３００又は無線電力送信装置１００と連結可能な通信部を含むことができる。
【０１５８】
保存部４１０は、無線電力送信装置１００に割り当てられた第１の識別情報と、無線電力送信装置１００の位置する地域の地域情報を関連付ける位置データを保存することができる。
【０１５９】
一例において、保存部４１０は、モバイル端末のユーザーのユーザー情報を保存することができる。例えば、保存部４１０は、モバイル端末３００に割り当てられた識別情報とモバイル端末３００に関するユーザー情報を関連付けて保存することができる。
【０１６０】
位置サービス提供部４２０は、位置データを用いて無線電力送信装置１００から電力の提供を受けるモバイル端末３００の位置を判断することができる。
【０１６１】
一例において、位置サービス提供部４２０は、無線電力送信装置１００に割り当てられた第１の識別情報とモバイル端末３００に割り当てられた第２の識別情報を確認し、無線電力送信装置１００の位置する地域をモバイル端末の位置と判断することができる。
【０１６２】
一例において、位置サービス提供部４２０は、判断されたモバイル端末３００の位置に関連する位置サービスデータをモバイル端末３００及び無線電力送信装置１００の一方または両方に提供することができる。
【０１６３】
一例において、位置サービス提供部４２０は、モバイル端末を識別し、識別されたモバイル端末３００に関連するユーザー情報を用いてサービスデータを決定することができる。例えば、ユーザー情報はユーザーのサービス使用情報、サービス記号情報、通信サービスプロバイダ情報、ユーザー等級情報等を含み、位置サービス提供部４２０は上記ユーザー情報を用いてサービスデータの種類、等級、課金の有無等を決定することができる。
【０１６４】
以上では、位置情報サービスシステムの多様な実施形態と、位置情報サービスシステムを構成する構成装置の多様な実施形態について説明した。
【０１６５】
以下では、位置情報サービスシステムの複数の装置で行われる位置情報サービス方法についてより詳細に説明する。
【０１６６】
図２０〜図２３は、無線電力提供のために行われる認証方法に関する多様な実施例を示すフローチャートである。
【０１６７】
図２０は、電力を無線で送信するべく実行される認証方法の一実施例を示している。図示されているように、無線電力送信装置１００は、無線電力受信装置２００から認証データの提供を受けることができる（Ｓ１１０）。ここで、認証データは、無線電力受信装置２００に割り当てられた識別子であってもよく、モバイル端末３００から無線電力受信装置２００に提供された認証データであってもよい。また、認証データは、モバイル端末３００に保存された個人バーコード又は他の認証データのような別の認証用データであってもよい。
【０１６８】
無線電力送信装置１００は、認証データを用いて無線充電権限を認証することができる（Ｓ１２０）。無線充電権限は、例えば、無線電力受信装置２００が無線充電対象となるか、及び無線充電時に課金の有無、無線充電に対して所定の制限が適用されるか等を含む広い概念である。
【０１６９】
無線電力送信装置１００は、無線電力受信装置２００がうまく認証されると、無線で電力を提供することができる（Ｓ２１０）。無線電力受信装置２００は、無線で受信した電力を用いてモバイル端末３００に電力を提供することができる（Ｓ２２０）。
【０１７０】
図２１及び図２２は、電力を無線で送信するべく実行される認証方法の他の実施例を示している。図２１及び図２２に示されている認証方法は、モバイル端末３００を用いて認証を行う方法である。但し、認証がなされた後の手続き（Ｓ２１０）〜（Ｓ２２０）は、図２０で説明した通りである。
【０１７１】
無線電力送信装置１００は、モバイル端末３００に認証データを要請することができる（Ｓ１１０）。このために、無線電力送信装置１００は、近距離無線通信方式又は他の通信方式を用いてモバイル端末３００と直接通信を行うことができる。
【０１７２】
モバイル端末３００は、次に認証データを、直接的に、又は無線電力受信装置２００を介して間接的に、無線電力送信装置１００に提供することができる。
【０１７３】
図２１に示されている実施例において、モバイル端末３００は無線電力受信装置２００に認証データを提供し（Ｓ１２０）、無線電力受信装置２００はこれを無線電力送信装置１００に提供することができる（Ｓ１３０）。ここで、無線電力送信装置１００と無線電力受信装置２００は、所定の無線電力プロトコルにより認証データを送受信することができる。無線電力送信装置１００は、無線通信の権限を、認証データを用いて認証する（Ｓ１４０）。
【０１７４】
図２２に示されている実施例において、モバイル端末３００は、無線電力送信装置１００に認証データを提供することができる（Ｓ１２０）。例えば、モバイル端末３００と無線電力送信装置１００は、近距離無線通信方式を用いて直接通信を行うことができる。無線電力送信装置１００は、無線通信の権限を、認証データを用いて認証する（Ｓ１３０）。
【０１７５】
図２３は、認証方法のさらに他の実施例を示している。図２３に示されている認証方法は、アプリケーションサーバー４００を用いて認証を行う方法である。但し、認証がなされた後の手続き（Ｓ２１０）〜（Ｓ２２０）は、図２０に関して上述した通りである。
【０１７６】
図２０〜図２２の実施例において、無線電力送信装置１００は、認証情報を用いて自分でモバイル端末３００に対する認証を行うことができる。例えば、無線電力送信装置１００は、認証情報を検証できる検証手段を備えて認証を行うことができる。
【０１７７】
図２３の例において、無線電力送信装置１００は、アプリケーションサーバー４００と通信してモバイル端末３００に対する認証を行うことができる。
【０１７８】
具体的には、無線電力送信装置１００は、アプリケーションサーバー４００に認証データを要請することができる（Ｓ１１０）。アプリケーションサーバー４００は、認証データを無線電力送信装置１００に送信する（Ｓ１２０）。無線電力送信装置１００は、アプリケーションサーバー４００から提供された認証データを用いてモバイル端末３００又は無線電力受信装置２００を認証することができる（Ｓ１３０）。
【０１７９】
上述したように、認証データは、認証の可否以外にも、付加情報、例えば、認証課金の有無、認証可能時間に関する情報、又は認証に関する他の情報を含み、アプリケーションサーバー４００は、上記付加情報を無線電力送信装置１００に提供し、電力をより多様な実施態様により提供するようにすることができる。
【０１８０】
図２４〜図２６は、位置データ選択のための識別情報を提供する方法に関する多様な実施例を説明するフローチャートである。
【０１８１】
図２４の実施例において、無線電力送信装置１００は、無線充電権限が認証されると（Ｓ１００）、無線電力送信装置１００に割り当てられた第１の識別情報を格納し、無線電力受信装置２００とモバイル端末３００を介して第１の識別情報をアプリケーションサーバー４００に提供することができる（Ｓ３１０、Ｓ３２０，Ｓ３３０）。但し、他の実施例では、認証段階は省略されてもよい。認証後の手順Ｓ２１０及びＳ２２０は、図２０に関して上述した手順と対応して実行される。
【０１８２】
無線電力送信装置１００と無線電力受信装置２００との間の通信方法、又は無線電力受信装置２００とモバイル端末３００との間の通信方法には、上述したように、多様な通信方式が適用されることができる。例えば、無線電力伝送のためのプロトコル、近距離無線通信方式、又は当業者に周知の他の通信方式等の多様な方式が用いられる。
【０１８３】
アプリケーションサーバー４００は、無線電力送信装置１００に割り当てられた第１の識別情報を用いてモバイル端末３００の位置を識別することができる（Ｓ３４０）。即ち、無線電力送信装置１００に割り当てられた第１の識別情報を用いて無線電力送信装置１００の設置された位置を識別し、確認された位置をモバイル端末３００の位置と判断することができる。
【０１８４】
アプリケーションサーバー４００は、識別された位置に関連する位置サービスデータを選択し（Ｓ３５０）、モバイル端末３００（Ｓ３６１）、及び無線電力送信装置１００（Ｓ３６２）の一方又は両方に提供することができる。
【０１８５】
一例において、アプリケーションサーバー４００は、モバイル端末３００のユーザー情報をさらに用いて位置サービスデータを選択することができる。即ち、ユーザーの等級や権限によって位置サービスデータの種類及び品質、サービスデータに対する有料又は無料サービスを決定することができる。例えば、位置サービスデータは、クーポン、無料充電権限又は他のオファーを含むことができる。また、位置サービスデータは、特定の条件、例えば、提供された広告を視聴しなければならない条件又は他の条件を満たす場合に限り提供されることもできる。
【０１８６】
図２５の実施例において、無線電力送信装置１００は無線電力送信装置１００に割り当てられた第１の識別情報を格納し（Ｓ３００）、モバイル端末３００に第１の識別情報を提供し（Ｓ３１０）、モバイル端末３００はこれをアプリケーションサーバー４００に提供することができる（Ｓ３２０）。一例において、モバイル端末３００は、モバイル端末３００に割り当てられた第２の識別情報を共にアプリケーションサーバー４００に提供することができる。
【０１８７】
アプリケーションサーバー４００は、無線電力送信装置１００に割り当てられた第１の識別情報を用いてモバイル端末３００の位置を判断し（Ｓ３３０）、識別された位置に関連する位置サービスを選択し（Ｓ３４０）、モバイル端末３００（Ｓ３５１）及び無線電力送信装置１００（Ｓ３５２）の一方又は両方に、選択された位置サービスデータを送信する。
【０１８８】
図２６の実施例において、無線電力送信装置１００は無線電力送信装置１００に割り当てられた第１の識別情報を格納し（Ｓ３００）、アプリケーションサーバー４００に第１の識別情報を直接提供することができる（Ｓ３１０）。一例において、無線電力送信装置１００は、モバイル端末３００から当該モバイル端末３００に割り当てられた第２の識別情報を獲得し、獲得した第２の識別情報と第１の識別情報を共にアプリケーションサーバー４００に提供することができる。
【０１８９】
アプリケーションサーバー４００は、無線電力送信装置１００に割り当てられた第１の識別情報を用いてモバイル端末３００の位置を判断し（Ｓ３２０）、識別された位置に関連する位置サービスを選択し（Ｓ３３０）、モバイル端末３００（Ｓ３４１）及び無線電力送信装置１００（Ｓ３４２）の一方又は両方に、選択された位置サービスデータを送信する。
【０１９０】
図２７は、アプリケーションサーバー４００で実行可能な位置サービス提供方法の一実施例を示すフローチャートである。
【０１９１】
アプリケーションサーバー４００は、無線電力送信装置１００に割り当てられた第１の識別情報を確認することができる（Ｓ２７１０）。
【０１９２】
アプリケーションサーバー４００は、モバイル端末３００に割り当てられた第２の識別情報を確認することができる（Ｓ２７２０）。
【０１９３】
アプリケーションサーバー４００は、第１の識別情報、又は第１及び第２の識別情報を用いてモバイル端末３００の位置を判断することができる（Ｓ２７３０）。
【０１９４】
アプリケーションサーバー４００は、判断されたモバイル端末３００の位置に関連する位置サービスデータを選択し（Ｓ２７４０）、これをモバイル端末３００及び無線電力送信装置１００の一方又は両方に提供することができる（Ｓ２７５０）。
【０１９５】
上述したように、ユーザーの位置情報サービスは、無線充電の実行位置に関する情報を用いて送信されることができる。
【０１９６】
また、上述したように、位置情報サービスは無線充電装置の位置に基づいてユーザーに送信されることができ、これによりユーザーの周辺環境の影響に関わらず位置を正確に識別することができる。
【０１９７】
また、上述したように、位置情報サービス及び無線電力は送信されることができ、サービスへのユーザーのアクセスを拡張することができる。
【０１９８】
図１から図２７に関して説明された無線電力送信装置１００、コントローラ１０５、近距離無線通信モジュール１０６、電力送信部１１０、識別情報管理部１２０、近距離無線通信部１３０、充電制御部１４０、通信部１５０、無線電力受信装置２００、コントローラ２０４、近距離無線通信モジュール２０５、電力受信部２１０、識別情報伝達部２２０、近距離無線通信部２３０、モバイル端末３００、充電部３１０、制御部３３０、アプリケーションサーバー４００、保存部４１０及び位置サービス提供部４２０と、図１から図２７に関して説明された方法は、１又は複数のハードウェアコンポーネンツ、１又は複数のソフトウェアコンポーネンツ、或いは、１又は複数のハードウェアコンポーネンツと、１又は複数のソフトウェハコンポーネンツとの組み合わせを用いて実施され得る。
【０１９９】
ハードウェアコンポーネントは、例えば、１または複数のオペレーションを物理的に実行する物理デバイスであってもよいが、それに限定されない。ハードウェアコンポーネントの例としては、レジスタ、コンデンサ、誘導子、電源装置、周波数生成装置、演算増幅器、電力増幅器、ローパスフィルタ、ハイパスフィルタ、バンドパスフィルタ、アナログ―デジタルコンバータ、デジタル―アナログコンバータ、および処理装置が挙げられる。
【０２００】
例えば、ソフトウェアにより制御される処理デバイス、または１もしくは複数のオペレーションを実行する複数の命令により、ソフトウェアコンポーネントが実装されてもよいが、それらに限定されない。コンピュータ、コントローラ、または他の制御デバイスは、処理デバイスにソフトウェアを起動させ、または複数の命令を実行させてもよい。１つのソフトウェアコンポーネントは、１つの処理デバイスにより実装されてもよく、または２もしくはそれ以上のソフトウェアコンポーネントが１つの処理デバイスにより実装されてもよく、または１つのソフトウェアコンポーネントが２またはそれ以上の処理デバイスにより実装されてもよく、または２またはそれ以上のソフトウェアコンポーネントが２またはそれ以上の処理デバイスにより実装されてもよい。
【０２０１】
処理デバイスは、例えば、プロセッサ、コントローラ、および演算ロジックユニット、デジタル信号プロセッサ、マイクロコンピュータ、フィールドプログラマブルアレイ、プログラマブルロジックユニット、マイクロプロセッサ、またはソフトウェアを起動し、または複数の命令を実行することができるその他のデバイス等、１または複数の汎用または専用コンピュータを用いて実装されてもよい。処理デバイスは、オペレーティングシステム（ＯＳ）を起動してもよく、ＯＳ下で動作する１または複数のソフトウェアアプリケーションを起動してもよい。処理デバイスは、ソフトウェアを起動し、または複数の命令を実行する場合に、データにアクセスし、これを格納、操作、処理、および作成してもよい。簡明にするために、「処理デバイス」という単数形の用語が本明細書において使用され得るが、当業者は、処理デバイスが複数の処理要素および複数のタイプの処理要素を含み得ることを理解するであろう。例えば、処理デバイスは、１もしくは複数のプロセッサ、または１もしくは複数のプロセッサおよび１または複数のコントローラを含み得る。更に、並列プロセッサまたはマルチコアプロセッサ等の複数の異なる処理構成が可能である。
【０２０２】
ソフトウェアコンポーネントを実装し、オペレーションＡを実行するように構成された処理デバイスは、ソフトウェアを起動し、またはプロセッサを制御し、オペレーションＡを実行する複数の命令を実行するようにプログラミングされたプロセッサを含んでもよい。更に、ソフトウェアコンポーネントを実装し、オペレーションＡ、オペレーションＢ、およびオペレーションＣを実行するように構成された処理デバイスは、例えば、ソフトウェアコンポーネントを実装し、オペレーションＡ、Ｂ、およびＣを実行するように構成されたプロセッサ、ソフトウェアコンポーネントを実装し、オペレーションＡを実行するように構成された第１のプロセッサと、ソフトウェアコンポーネントを実装し、オペレーションＢおよびＣを実行するように構成された第２のプロセッサ、ソフトウェアコンポーネントを実装し、オペレーションＡおよびＢを実行するように構成された第１のプロセッサと、ソフトウェアコンポーネントを実装し、オペレーションＣを実行するように構成された第２のプロセッサ、ソフトウェアコンポーネントを実装し、オペレーションＡを実行するように構成された第１のプロセッサと、ソフトウェアコンポーネントを実装し、オペレーションＢを実行するように構成された第２のプロセッサと、ソフトウェアコンポーネントを実装し、オペレーションＣを実行するように構成された第３のプロセッサ、ソフトウェアコンポーネントを実装し、オペレーションＡ、Ｂ、およびＣを実行するように構成された第１のプロセッサと、ソフトウェアコンポーネントを実装し、オペレーションＡ、Ｂ、およびＣを実行するように構成された第２のプロセッサ、または各々、オペレーションＡ、Ｂ、およびＣのうち１または複数を実装する１または複数のプロセッサのその他の構成等、様々な構成を有し得る。これらの例は、３つのオペレーションＡ、Ｂ、Ｃに言及したが、実装され得るオペレーションの数は、３つに限定されるのではなく、所望の結果を実現し、または所望のタスクを実行するべく要求されるいずれの数のオペレーションであってもよい。
【０２０３】
本明細書において開示される、複数の例を実装する複数の関数型プログラム、コード、およびコードセグメントは、本明細書において提供される複数の図面および対応する説明に基づいて、複数の例が関係する当業者のプログラマにより容易に構築され得る。
【０２０４】
処理デバイスを制御してソフトウェアコンポーネントを実装するソフトウェアまたは複数の命令は、別個に、または集団的に１または複数の所望のオペレーションを実行するように処理デバイスに命令し、またはこれを構成するためのコンピュータプログラム、コード、命令、またはこれらの組み合わせを含んでもよい。ソフトウェアまたは複数の命令は、コンパイラにより生成されるマシンコード、および／またはインタープリタを用いる処理デバイスにより実行され得るより高レベルのコード等、処理デバイスにより直接に実行され得るマシンコードを含んでもよい。ソフトウェアまたは複数の命令、ならびに任意の関連するデータ、複数のデータファイルおよびデータ構造体は、処理デバイスに複数の命令またはデータを提供し、または処理デバイスにより解釈され得る任意のタイプのマシン、コンポーネント、物理もしくは仮想機器、コンピュータストレージ媒体もしくはデバイス、または伝播信号波で恒久的または一時的に実施されてもよい。また、ソフトウェアまたは複数の命令、ならびに任意の関連するデータ、複数のデータファイルおよびデータ構造体は、ソフトウェアまたは複数の命令、ならびに任意の関連するデータ、複数のデータファイルおよびデータ構造体が分散されて格納および実行されるように、複数のネットワークに接続されたコンピュータシステムを介して分散されてもよい。
【０２０５】
本開示は複数の具体的な例を含むが、特許請求の範囲およびその複数の均等物の趣旨および範囲を逸脱することなく、これらの例において、形態および詳細の様々な変更が行われ得ることが、当業者には明らかであろう。説明される技術が異なる順序で実行され、および／または説明されるシステム、アーキテクチャ、デバイス、または回路における構成要素が異なる様式で組み合わされ、および／または他の複数の構成要素もしくは均等物により代替もしくは保管されても、好適な結果が得られ得る。従って、本開示の範囲は、詳細な説明ではなく、特許請求の範囲およびその均等物により定義され、特許請求の範囲内の複数の改変形態は、本開示に含まれるものと解釈されるものである。
【０２０６】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【０２０７】
１００  無線電力送信装置
１１０  電力送信部
１２０  識別情報管理部
１３０  近距離無線通信部
１４０  充電制御部
１５０  通信部
１６０  サービスデータ管理部
２００  無線電力受信装置
２１０  電力受信部
２２０  識別情報伝達部
２３０  近距離無線通信部
３００  モバイル端末
３１０  充電部
３２０  電力保存部
３３０  制御部
４００  アプリケーションサーバー
４１０  保存部
４２０  位置サービス提供部
【図１】
2018117520.tif 000003
【図２】
2018117520.tif 000004
【図３】
2018117520.tif 000005
【図４】
2018117520.tif 000006
【図５】
2018117520.tif 000007
【図６】
2018117520.tif 000008
【図７】
2018117520.tif 000009
【図８】
2018117520.tif 000010
【図９】
2018117520.tif 000011
【図１０】
2018117520.tif 000012
【図１１】
2018117520.tif 000013
【図１２】
2018117520.tif 000014
【図１３】
2018117520.tif 000015
【図１４】
2018117520.tif 000016
【図１５】
2018117520.tif 000017
【図１６】
2018117520.tif 000018
【図１７】
2018117520.tif 000019
【図１８】
2018117520.tif 000020
【図１９】
2018117520.tif 000021
【図２０】
2018117520.tif 000022
【図２１】
2018117520.tif 000023
【図２２】
2018117520.tif 000024
【図２３】
2018117520.tif 000025
【図２４】
2018117520.tif 000026
【図２５】
2018117520.tif 000027
【図２６】
2018117520.tif 000028
【図２７】
2018117520.tif 000029
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
無線電力受信装置に無線で電力を提供する電力送信部と、
無線電力送信装置に割り当てられ、前記無線電力送信装置の位置する地域の地域情報に関連する第１の識別情報を他の機器に提供する識別情報管理部と、
前記無線電力受信装置の無線充電に対する権限を認証する充電制御部と、
を含み、
前記充電制御部は、前記第１の識別情報の提供を受けたアプリケーションサーバーから提供された認証情報を用いて前記無線電力受信装置に対する無線充電の権限又は提供時間を決定する、無線電力送信装置。
【請求項２】
前記識別情報管理部は、前記無線電力受信装置の無線充電に対する権限が認証されていることに応じて、前記第１の識別情報を前記無線電力受信装置に提供する、請求項１に記載の無線電力送信装置。
【請求項３】
前記充電制御部は、前記無線電力受信装置と連結されたモバイル端末の通信サービスプロバイダ情報、端末情報、ユーザー情報及び残りの電力情報の何れか１つ又は何れかの組み合わせを用いて認証を行う、請求項１または２に記載の無線電力送信装置。
【請求項４】
前記無線電力送信装置は、
アプリケーションサーバーと連結可能な通信部と、
前記アプリケーションサーバーから前記無線電力送信装置の位置する地域に関連する位置サービスデータを受信するサービスデータ管理部と、
をさらに含む、請求項１から３のいずれか１項に記載の無線電力送信装置。
【請求項５】
前記無線電力送信装置は、前記無線電力受信装置が装着されるか、前記無線電力受信装置に接続可能なモバイル端末と無線で連結可能な近距離無線通信部をさらに含み、
前記識別情報管理部は、前記近距離無線通信部を用いて前記モバイル端末に割り当てられた第２の識別情報を獲得し、前記第２の識別情報及び前記第１の識別情報をアプリケーションサーバーに提供する、請求項１から４のいずれか１項に記載の無線電力送信装置。
【手続補正３】
【補正対象書類名】明細書
【補正対象項目名】０２０６
【補正方法】変更
【補正の内容】
【０２０６】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
［項目１］
無線電力受信装置に無線で電力を提供する電力送信部と、
無線電力送信装置に割り当てられた第１の識別情報を他の機器に提供する識別情報管理部と、
を含む、無線電力送信装置。
［項目２］
上記第１の識別情報は、上記無線電力送信装置の位置する地域の地域情報に関連する、項目１に記載の無線電力送信装置。
［項目３］
上記無線電力送信装置は、上記無線電力受信装置の無線充電に対する権限を認証する充電制御部を含む、項目１または２に記載の無線電力送信装置。
［項目４］
上記識別情報管理部は、上記無線電力受信装置の無線充電に対する権限が認証されていることに応じて、上記第１の識別情報を上記無線電力受信装置に提供する、項目３に記載の無線電力送信装置。
［項目５］
上記充電制御部は、上記無線電力受信装置と連結されたモバイル端末の通信サービスプロバイダ情報、端末情報、ユーザー情報及び残りの電力情報の何れか１つ又は何れかの組み合わせを用いて認証を行う、項目３または４に記載の無線電力送信装置。
［項目６］
上記充電制御部は、上記第１の識別情報の提供を受けたアプリケーションサーバーから提供された認証情報を用いて上記電力受信装置に対する無線充電の権限又は提供時間を決定する、項目３から５のいずれか１項に記載の無線電力送信装置。
［項目７］
上記無線電力送信装置は、
アプリケーションサーバーと連結可能な通信部と、
上記アプリケーションサーバーから上記無線電力送信装置の位置する地域に関連する位置サービスデータを受信するサービスデータ管理部と、
をさらに含む、項目１から６のいずれか１項に記載の無線電力送信装置。
［項目８］
上記無線電力送信装置は、上記無線電力受信装置が装着されるか、上記無線電力受信装置に接続可能なモバイル端末と無線で連結可能な近距離無線通信部をさらに含み、
上記識別情報管理部は、上記近距離無線通信部を用いて上記モバイル端末に割り当てられた第２の識別情報を獲得し、上記第２の識別情報及び上記第１の識別情報をアプリケーションサーバーに提供する、項目１から７のいずれか１項に記載の無線電力送信装置。
［項目９］
モバイル端末と連結可能な無線電力受信装置であって、
無線電力送信装置から提供される電力を無線で受信する電力受信部と、
上記無線電力送信装置から当該無線電力送信装置に割り当てられた第１の識別情報の提供を受け、上記第１の識別情報を上記モバイル端末に提供する識別情報伝達部と、
を含む、無線電力受信装置。
［項目１０］
上記識別情報伝達部は、上記無線電力の送受信プロトコルで用いられる上記無線電力送信装置の識別子を上記第１の識別情報として用いる、項目９に記載の無線電力受信装置。
［項目１１］
上記無線電力受信装置は近距離無線通信部をさらに含み、
上記識別情報伝達部は上記近距離無線通信部を用いて上記無線電力送信装置から上記第１の識別情報の提供を受ける、項目９または１０に記載の無線電力受信装置。
［項目１２］
上記識別情報伝達部は、上記モバイル端末に割り当てられた第２の識別情報を獲得し、上記第２の識別情報を上記無線電力送信装置に提供する、項目９から１１のいずれか１項に記載の無線電力受信装置。
［項目１３］
電力の提供を受けるべく無線電力受信装置と連結可能であり、上記無線電力受信装置から無線で電力の提供を受け、受けた電力を用いてモバイル端末の保存部を充電する充電部と、
無線電力送信装置に割り当てられた第１の識別情報を獲得し、モバイル端末に割り当てられた第２の識別情報又は上記第１の識別情報をアプリケーションサーバーに提供する制御部と、
を含む、モバイル端末。
［項目１４］
上記第１の識別情報は、上記無線電力送信装置の位置する地域の地域情報に関連する、項目１３に記載のモバイル端末。
［項目１５］
上記制御部は、上記アプリケーションサーバーから上記モバイル端末の位置する地域に関連する位置サービスデータを受信する、項目１３または１４に記載のモバイル端末。
［項目１６］
電力の提供を受けるべく無線電力受信装置と連結可能であり、上記無線電力受信装置から無線で電力の提供を受け、受けた電力を用いてモバイル端末の保存部を充電する充電部と、
モバイル端末に割り当てられた第１の識別情報を無線電力送信装置に提供し、上記無線電力送信装置から上記モバイル端末の位置する地域に関連する位置サービスデータを受信する制御部と、
を含む、モバイル端末。
［項目１７］
無線電力送信装置に割り当てられた第１の識別情報と上記無線電力送信装置の位置する地域の地域情報を関連付ける位置データを保存する保存部と、
上記位置データを用いて上記無線電力送信装置から電力の提供を受けるモバイル端末の位置を判断する位置サービス提供部と、
を含む、アプリケーションサーバー。
［項目１８］
上記位置サービス提供部は、上記第１の識別情報と上記モバイル端末に割り当てられた第２の識別情報を用い、上記無線電力送信装置の位置する地域を上記モバイル端末の位置と判断する、項目１７に記載のアプリケーションサーバー。
［項目１９］
上記位置サービス提供部は、判断された上記モバイル端末の位置に関連する位置サービスデータを上記モバイル端末及び上記無線電力送信装置の一方又は両方に提供する、項目１７または１８に記載のアプリケーションサーバー。
［項目２０］
モバイル端末で実行可能なアプリケーションであって、
無線で電力を提供する無線電力送信装置に割り当てられた第１の識別情報を獲得する機能、上記モバイル端末に割り当てられた第２の識別情報を管理する機能、及び上記第１の識別情報及び上記第２の識別情報の一方又は両方を他の機器に提供する機能を実行させる、アプリケーション。
［項目２１］
上記アプリケーションは、上記モバイル端末の位置に関連する位置サービスデータを受信して表示する機能をさらに実行させる、項目２０に記載のアプリケーション。
［項目２２］
無線電力受信装置に無線で電力を提供する無線電力送信装置と、
上記無線電力受信装置が受けた電力の提供を受けるモバイル端末と、
上記無線電力送信装置の位置を識別し、上記無線電力送信装置の識別された位置を上記モバイル端末の位置と判断して位置情報サービスデータを提供するアプリケーションサーバーと、
を含む、位置情報サービスシステム。